Podtech/llm-jp-corpus-v4-ja_patent huggingface dataset:
(57)【要約】      （修正有）【課題】家庭の風呂には毎日入るのが日課であり楽しみのひとつです。そこで、高齢の方、障害のある方、妊婦さんなどが安全で、安心して、事故のないように浴槽に入ることができる入浴補助器具を提供する。【解決手段】入浴補助器具の風呂の橋は、木製で設けられており、風呂の橋は、風呂の橋の桁１、風呂の橋の手すり２、風呂の橋の脚４を備え、浴槽に入る際に、浴槽内に、風呂の橋の脚４が収まるよう浴槽の淵に載置する。風呂の橋の脚４および風呂の橋の桁１の裏面に滑り止めゴムを設ける。【選択図】図１
2017006612.tif 000002
【特許請求の範囲】
【請求項１】
橋桁（１）に穴（３）をあけたてすり（２）を設ける。固定する脚（４）を設け滑り止めゴム（５）（６）を設ける。
以上の構成よりなる入浴補助器具、
名称は、風呂の橋。
【発明の詳細な説明】
【技術分野】
【０００１】この発明は、家庭用風呂に入浴する際、浴槽の出入りに使う入浴補助器具で、高齢者や障害のある方に便利な風呂の橋に関するものである。
【背景技術】
【０００２】従来の入浴補助器具は、鉄パイプでできている。形はいろいろあるが、ほとんど鉄、又はステンレスパイプなので、製品の温度は３度から４度と冷たい。入浴時は裸なので、鉄製補助器具を両手でつかみ入浴すると心臓に悪い。血圧が高くなる。第３の心臓と言われる手のひらで冷たい補助器具を握り、４０度前後の湯の中に入るのは心筋梗塞の危険もありうる。
【発明が解決しようとする課題】
【０００３】（イ）介護保険サービスセンター等で販売されている入浴器具は、鉄材（パイプ）で作られているので重量があり、置き場所もとり、冬は冷たくて触りづらい。
（ロ）豪華で大型の浴槽では浴室の壁などにパイプが固定されているが、やや奥なので掴みにくい。
その点、本発明である風呂の橋は木製でやさしく、軽くて丈夫、簡単に取り外しができ、置く位置も自由自在、便利そのもので、事故もなく一度使ったら止められない。
また、風呂場でおきる急性心筋梗塞、心肺停止状態などの予防、防止する風呂の橋である。
【課題を解決するための手段】
【０００４】入浴補助器具の温度、浴室、浴槽、外気の温度、風呂場で起きる事故は温度に関係する。心筋梗塞、心肺停止の事故は、どこでも起きるが、風呂場で入浴寸前、突然発生する特に心筋梗塞、心肺停止の事故死が多いのは温度がかかわっている。温度差が激しいから心臓に負担がかかり、血圧が上がり事故になる。それを防ぐ事ができる本発明の風呂の橋である。風呂の橋は、人命救助になる入浴補助器具である。
2017006612.tif 000003
【発明の効果】
【０００５】本発明、風呂の橋は、浴槽の上に置き使います。両手で風呂の橋をつかみ、体重を乗せ足から軽々と入ることができます。高齢者の友人１０名に使って貰い一ヵ月後、一人一人に感想を聞きました。「これを使ったら手放せないね。」とか、「弟にもすすめるからもう一台作ってほしい。」とか、「是非譲ってほしい。」とか皆さんの意見は大好評でした。「これがあれば手助けいらず、一人ではいれるね。」とうれしい言葉も聞くことができました。本発明、風呂の橋は鉄類は付いていません。年中温度が変わりません。浴室での心筋梗塞を防ぎます。実際に試された方から「手軽で使いやすい」と言っていただきましたので、高齢の方、障害のある方、妊婦さんなど特に使っていただきたいです。
【発明を実施するための形態】
【０００６】本発明、風呂の橋は浴槽の上に置き使う。つかみ易くするため欄干に穴を設けた。穴に指を入れしっかりつかみ、自分の体重を乗せ入浴する。移動は自由で何処にでも置ける。高齢者や身体の不自由な方、妊婦さんに便利である。
【図面の簡単な説明】
【０００７】
【図１】本発明の正面図である
【図２】本発明の裏面図である
【図３】浴槽に置いた場面の図
【符号の説明】
【０００８】（１）本発明の風呂の橋の桁
（２）本発明の風呂の橋の手すり
（３）本発明、風呂の橋の手すりの穴（掴む時）
（４）本発明、風呂の橋の脚（浴槽に固定する）
（５）本発明、風呂の橋の桁の裏側（滑り止めゴム）
浴槽の淵に傷ができぬよう、また滑らぬよう
（６）本発明、風呂の橋の脚の裏側（滑り止めゴム）
（７）（６）の脚が風呂幅でより安定する図
【図１】
2017006612.tif 000004
【図２】
2017006612.tif 000005
【図３】
2017006612.tif 000006
(57)【要約】      （修正有）【課題】医療用穿刺針を体組織に穿刺する際、ベベルまたは側孔の向きを速やかに正しく認識し、穿刺の安全性を高めるとともに作業効率を改善する穿刺針を提供する。【解決手段】針管１または針基６全体の、ベベルまたは側孔５に一致した方向の領域のみを全体とは異なる色調に加工する。【選択図】図４
2017006602.tif 000002
【特許請求の範囲】
【請求項１】
針基と、針管と、ベベルまたは針管先端部の側孔を有する医療用穿刺針。
【請求項２】
ベベルまたは側孔の方向の確認を容易にするために針管または針基に色の違いをつけた，請求項１記載の医療用穿刺針。
【発明の詳細な説明】
【技術分野】
【０００１】  本発明は，ベベルまたは側孔の方向の認識改善を図った医療用穿刺針に関する。
【背景技術】
【０００２】  図３〜図４により従来の医療用穿刺針について説明する。図において針管１の先端２は、ベベル３または側孔４を有している。この針管１は針基５に支持されている。【０００３】  針管１の内部は中空になっており、ベベル３または側孔４を通して針基５の後面に接続した器具より薬液を注入する、あるいは体液を採取する。
【発明の概要】
【発明が解決しようとする課題】
【０００４】  医療用穿刺針を体組織に穿刺する際、ベベルまたは側孔の向きが誤っていることで、予想外の組織の損傷を起こす、または薬液の投与あるいは体液の採取に問題を生じることがある。【０００５】  本発明は、このような従来の構成が有していた問題を解決しようとするものであり、ベベルまたは側孔の向きを速やかに正しく認識し、穿刺の安全性を高めるとともに作業効率を改善することを目的とするものである。
【課題を解決するための手段】
【０００６】  本発明は上記目的を達成するために、針管または針基全体のうちベベルまたは側孔の一致した方向に一致した領域のみに全体とは異なる色調に加工したものである。【０００７】  上記の課題解決手段による作用は次の通りである。すなわち、一方向のみ異なる色調に加工された針管または針基は、ベベルまたは側孔よりもはるかに視認性に優れており、ベベルまたは側孔を注視して確認せず速やかに穿刺を行うことが可能になる。
【図面の簡単な説明】
【０００８】
【図１】本発明の実施形態を示す医療穿刺針の側面から見た外観図
【図２】本発明の実施形態を示す医療穿刺針の上面から見た外観図
【図３】従来の医療用穿刺針の側面から見た外観図
【図４】従来の医療用穿刺針の上面から見た外観図
【発明を実施するための形態】
【０００９】  以下、本発明の実施の形態を図１〜図４に基づいて説明する。
【００１０】  図においては、針管１および１の先端２または３は、ベベル４または側孔５を有している。この針管１は針基６に支持されている。
【００１１】  以下、上記構成の特長を説明する。ベベル４または側孔５に一致した方向のみに着色された領域７を有する針管または針基を持つ。針の向きを確認する際、従来の針においてはベベル４または側孔５を確認する必要があるが、領域７はベベル４または側孔５の大きさに比べてはるかに大きいため、視認がより容易となる。本形態により、医療用穿刺針を手に保持した時点で容易にベベル４または側孔５の方向を把握でき、穿刺の安全性および作業効率の向上が得られるものである。
【符号の説明】
【００１２】７  針管および針基の着色領域
【図１】
2017006602.tif 000003
【図２】
2017006602.tif 000004
【図３】
2017006602.tif 000005
【図４】
2017006602.tif 000006
【図５】
2017006602.tif 000007
【図６】
2017006602.tif 000008
【手続補正書】
【提出日】平成27年7月29日(2015.7.29)
【手続補正１】
【補正対象書類名】明細書
【補正対象項目名】０００８
【補正方法】変更
【補正の内容】
【０００８】
【図１】本発明の実施形態を示す医療穿刺針のうち，先端にベベルを有するものを上面から見た外観図
【図２】本発明の実施形態を示す医療穿刺針のうち，先端に側孔を有するものを上面から見た外観図
【図３】本発明の実施形態を示す医療穿刺針のうち，先端にベベルを有するものを側面から見た外観図
【図４】本発明の実施形態を示す医療穿刺針のうち，先端に側孔を有するものを側面から見た外観図
【図５】従来の医療用穿刺針の側面から見た外観図
【図６】従来の医療用穿刺針の上面から見た外観図
(57)【要約】【課題】  介護の現場等で沐浴後の問題は患者の体を冷やさない為に、如何に素早く体を乾わかし、温かくして着替えをしなければならないと云う事だが、従来のバスタオルだけの対応では難しく、その後の床の水の始末や沢山のバスタオルの洗濯が大変だった。【解決手段】  ポリマーの水分吸収剤を有した、速乾の紙オムツの原理を応用したシートで作った、バッグの上部を剥がせるテープで留めてバッグ内の保温を図り、バッグの上から軽くマッサージをして水分を取り除いた後、バッグの開口部（５）に貼ったテープ（６）の一部を剥がしてあけた穴からドライヤーを使用して、更なる速乾と保温を確保する使い捨ての、沐浴後速乾保温バッグを提供する。【選択図】図１
2017006607.tif 000002
【特許請求の範囲】
【請求項１】
速乾保温バッグで（１）の上部に開口部（４）を設け、開口部（４）に重ね合わせ部分（３）を設け、速乾バッグで（１）の上部に一端に顔を出す所（２）を設け、開口部（４）の内側に貼って剥がせるテープ（５）を設けた事を特徴とする沐浴後の速乾保温バッグ。
【発明の詳細な説明】
【技術分野】
【０００１】  本発明品は、介護、育児、ペット等の、沐浴後に素早く顔以外の全身を包んで速乾と保温を図るものである。
【背景技術】
【０００２】  従来、本品のように使い捨てで、全身を覆って速乾と保温を図ると云うものはなかった。
介護の現場などで沐浴後の問題は、患者の体を冷やさないために、如何に素早く体を乾かし、温かくして着替えをしなければならないと云う事だが、従来のバスタオルだけの対応では難しく、そのごの床の水の始末や沢山のバスタオルの洗濯が大変だった。
【先行技術文献】
【特許文献】
【０００３】
【特許文献１】特開２０１４−１２４３５３号公報
【特許文献２】特開２０１４−９７２７７号公報
【発明の概要】
【発明が解決しようとする課題】
【０００４】  そのために次のような問題点があった。
（イ）  従来は介護の場での、沐浴後のケアには沢山の、タオル、バスタオル、毛布、敷      物を必要とした。
（ロ）  寒い時などは、特に全身を冷やさないようにバスタオルなどで覆いながら作業す      るのは大変だった。
（ハ）  後始末として沢山のバスタオルなどの洗濯、床の水はねの処理の作業があった。
【課題を解決するための手段】
【０００５】  速乾保温バッグで（１）の上部に開口部（４）を設け、開口部（４）に重ね合わせ部分（３）を設け、速乾保温バッグで（１）の上部に一端に顔を出す所（２）を設け、開口部（４）の内側に貼って剥がせるテープ（５）を設けたことを特徴とする沐浴後の速乾保温バッグ。
【発明の効果】
【０００６】  従来のように沢山のバスタオル、毛布を用意したり、後の洗濯、片付けの手間もはぶけるし、お世話される側も素早く乾燥保温が出来るので気持ちが良い。
使い捨てではあるが、ドライヤーで乾かすのでバッグ自体の内部も乾燥されて２〜３回使えるので経済的でもある。
赤ちゃんや、ペット等にもこのバッグの機能は応用されるが、赤ちゃん、ペットは水分を吸い取る為にバッグの上から抱きしめる事で落ち着くので、その効果も大きい。
但し、ペットはペット用の形［図４］にするし、毛髪用には［図５］の形にする。
更に、洗髪後に使うタオルをこの素材にすると、素早く水分を吸い取ると同時に、使い捨てなので、タオルに着いた毛髪の始末や洗濯の手間が省けるので洗髪後専用タオルにする。
従来、使われているオムツと同じ素材のポリマーを有したシート状の物で、顔以外の全身を包むバッグを作り、その速乾と保温の機能を活用した。
沐浴後、直ちにバッグの中に全身を開口部より入れて、上部をテープで留めて保温を確保し、バッグの上から軽くマッサージをして、水分を素早く吸い取り保温し、さらに、テープを一部剥がして、開けた穴からドライヤーか布団乾燥機を差し込み、素早く乾燥と保温（暑い季節は涼しい風）を確保できる。
【図面の簡単な説明】
【０００７】
【図１】本発明の斜視図である。
【図２】本発明の使用側面図である
【図３】本発明の使用正面図を示した物である。
【図４】本発明のペット使用図である。
【図５】本発明の毛髪の使用図である。
【発明を実施するための形態】
【０００８】  以下、本発明の実施の形態を説明する。
（イ）  ポリマーの水分吸収剤を有した紙オムツの原理を応用したシートで作った沐浴後      の速乾保温バッグで（１）の上部を全開した開口部（４）を設ける。
（ロ）  縦に全開する開口部（４）に重ね合わせた部分（３）を設ける。
（ハ）  速乾保温バッグで（１）の上部に顔だけ出して体を入れて、一端に顔を出す所（      ２）を設け、貼って剥がせるテープ（５）で全体をを閉じる。
（ニ）  上部に取り付けた貼って剥がせるテープ（５）のテープで閉じて、バッグの上か      ら全身を軽くマッサージをして水分を素早く吸収する。
（ホ）  そのあと、貼って剥がせるテープ（５）のテープの一部を剥がし、ドライヤー（      ６）か布団乾燥機を差し込んで素早く乾燥と保温を図る。
（ヘ）  バッグの下に敷いた衝撃吸収材のシート（３）は別に用意するもので、これは使      い捨てではなく、一枚用意して置いて、バッグ使用の時に付随して繰り返し使うも      のである。
本発明は以上の構成よりなっている。
本発明を使用する時は、上記の開口部（４）より沐浴後に対象者の、患者、赤ちゃんを入れて保温を確保し、バッグの上から軽く押さえてマッサージをして水分を取ったあと、さらに、開口部（４）の開口部に貼って剥がせるテープ（５）の一部を剥がし、ドライヤー（６）で素早く乾燥し保温を確保する。
従来、使われているオムツと同じ素材のポリマーを有したシート状の物で、顔以外の全身を包むバッグを作り、その上部、胸、腹部側を貼って剥がせるテープで留めて、素材の持つ速乾と保温の機能を活用し、さらに、一部テープを剥がして開けた穴からドライヤーか布団乾燥機を差し込み即、乾燥と保温を確保する
同じくペット用品としてペット用の沐浴後速乾保温バッグをペット用の形に作るが、ペット特有の沐浴後に即、バッグに入れる事でペットの身震いによる水の撥ね飛ばしを防止し、速乾保温し、同時に水滴を吸い取るためにバッグの上から押さえて抱きしめることで、落ち着いて大人しくなるし、さらに開口部（４）に貼ったテープ（５）の一部を剥がし、穴を開けた所からドライヤー（６）で乾かして速乾保温を確保する。
同じ素材で髪の毛が長くて洗髪後乾かすのが大変と云う人のために、洗髪後、頭全体を覆う袋状のキャップをゴムで頭部に留めて毛髪を包んで、水分をキャップでマッサージして取り除いたあと、キャップを外してドライヤーで乾かす。
同じ素材で洗髪後に即、水分を吸収させる洗髪後専用の、タオルをシートで作る。
【符号の説明】
【０００９】    １  沐浴後速乾保温バッグ
２  顔を出す所
３  重ね合わせ部分
４  開口部
５  貼って剥がせるテープ
６  ドライヤー
【図１】
2017006607.tif 000003
【図２】
2017006607.tif 000004
【図３】
2017006607.tif 000005
【図４】
2017006607.tif 000006
【図５】
2017006607.tif 000007
(57)【要約】【課題】脂肪や糖分が残っていても流動性の高い全脂粉乳を提供する。【解決手段】全脂粉乳の加工方法であって、全脂粉乳にエタノールを添加する添加工程と、前記添加したエタノールを揮散させる乾燥工程とからなる、全脂粉乳の加工方法。また、添加するエタノールは、数回に分けて添加することが好ましい。【選択図】図２
2017158460.tif 000002
【特許請求の範囲】
【請求項１】
全脂粉乳の加工方法であって、
全脂粉乳にエタノールを添加する添加工程と、
前記添加したエタノールを揮散させる乾燥工程とからなる、全脂粉乳の加工方法。
【発明の詳細な説明】
【技術分野】
【０００１】
本発明は、全脂粉乳の加工方法に関する。
【背景技術】
【０００２】
牛乳を長期保存するための方法として、粉乳に加工する方法が知られている。
【０００３】
全脂粉乳で牛乳を再現しようとした場合、全脂粉乳を作る過程で発生する加熱臭や加工臭が問題となる。また、全脂粉乳は溶解性が悪く、風味や乳脂肪感も劣るため、再現した飲料は牛乳様水溶液と言わざるを得ないような出来であった。
【０００４】
これらの問題を解決するために、特許文献１では、牛乳などの獣乳に特定の粉末化剤を添加した後、粉末化する方法が開示されている。
【先行技術文献】
【特許文献】
【０００５】
【特許文献１】特開２００７−２７５０２９号
【発明の概要】
【発明が解決しようとする課題】
【０００６】
しかしながら、粉乳は脂肪や糖分などが固形物として残るために流動性が悪く、取り扱いにくいと言った問題がいまだ残っている。
【０００７】
そこで本発明は、脂肪や糖分が残っていても流動性の高い全脂粉乳を提供することを課題とする。
【課題を解決するための手段】
【０００８】
前記課題を解決する本発明は、全脂粉乳の加工方法であって、全脂粉乳にエタノールを添加する添加工程と、前記添加したエタノールを揮散させる乾燥工程とからなる、全脂粉乳の加工方法である。
【０００９】
このような構成によると、脂肪や糖分が残っている全脂粉乳の流動性を高めることができる。
【発明の効果】
【００１０】
本発明によれば、風味や乳脂肪感を損なうことなく、流動性を高めることができる。
【図面の簡単な説明】
【００１１】
【図１】加工前の全脂粉乳の電子顕微鏡写真（×３０００倍）である。
【図２】本発明にかかる全脂粉乳の電子顕微鏡写真（×３０００倍）である。
【発明を実施するための形態】
【００１２】
次に、本発明の一実施形態に係る全脂粉乳の加工方法について説明する。
本実施形態の加工方法は、全脂粉乳にアルコールを添加する添加工程と、添加したアルコールを揮散させる乾燥工程と、からなる。
【００１３】
＜添加工程＞
添加工程はアルコールで全脂粉乳の表面を処理するために行う。この処理を行うことで、全脂粉乳が脱水され、後述する混合工程において、全脂粉乳に油脂が付着しやすくなるものと考えられる。
【００１４】
アルコールの添加方法は特に制限されず、全脂粉乳に対してアルコールを滴下したり、アルコール中に全脂粉乳を浸漬したりする方法などが挙げられる。アルコールを滴下する場合には、一度にアルコールを滴下しても良いし、数回に分けて滴下しても良い。また、添加しながらかき混ぜることが好ましい。これにより、全脂粉乳の表面にアルコールを万遍なく行きわたらせることができる。全脂粉乳に添加されるアルコール量としては、全脂粉乳に万遍なくアルコールが行きわたる量であることが好ましい。
【００１５】
添加工程で用いられるアルコールとしては、一級アルコールが好ましく、エタノールがより好ましい。また、用いるアルコールの温度に特に制限はないが、取り扱いの観点から常温のものを用いることが好ましい。
【００１６】
＜乾燥工程＞
乾燥工程は全脂粉乳に添加したアルコールを揮散させるために行う。
【００１７】
乾燥方法としては、常温乾燥、真空乾燥、吸引乾燥などが挙げられる。一方、加熱乾燥など熱を加える乾燥は、全脂粉乳に加熱臭がついてしまうため、避けることが好ましい。
【００１８】
乾燥時間は特に制限されない。また、乾燥時に撹拌しながら乾燥させることが好ましい。アルコールを滴下した全脂粉乳からアルコールが揮散すると、全脂粉乳が硬く固まってしまう。そのため、乾燥するときは、撹拌するか、塊を砕きながら乾燥させることが好ましい。塊のままだと、内部が乾燥しにくい。また、後述する混合工程において、内部にまで油脂が浸みこまないため、全脂粉乳を万遍なく処理することができない。
【実施例】
【００１９】
以下、実施例に基づいて本発明を更に詳細に説明する。
【００２０】
まず、以下に示す方法で、実施例、比較例に係る組成物を作製した。
【００２１】
＜実施例＞
【００２２】
全脂粉乳（よつ葉乳業株式会社製：よつ葉北海道全脂粉乳）４９０ｇに対して、９９％以上のエタノール（日本アルコール販売株式会社製：特定アルコール  トレーサブル９９ｌ級）を計４回、合計４５ｍｌ添加した。このとき、全脂粉乳を撹拌しながらエタノールを添加した。エタノールを添加後、室温で２０分撹拌してエタノールを揮発させた。
【００２３】
＜比較例（全脂粉乳そのまま）＞
実施例１で用いた全脂粉乳（未処理）である。
【００２４】
＜実験１：電子顕微鏡写真＞
実施例および比較例の各サンプルの表面状態を、電子顕微鏡（日本電子株式会社製：ＪＣＭ−６０００）を用いて観察した。
【００２５】
図１は加工前の全脂粉乳であり、図２は本発明にかかる全脂粉乳である。図１から明らかなように、何の加工処理も施していない造粒前の全脂粉乳の表面は、多少ひび割れたような溝はあるものの、全体的に表面荒れが少ないことがわかる。これに対して、図２から明らかなように、エタノール処理をした全脂粉乳は、未処理の全脂粉乳に比べて全体にしぼんだような形状をしており、表面が非常に凸凹していることがわかる。また、よく見ると、円柱体状の物体が表面に無数に付着しているようにも見える。この円柱体状の物質が何なのかは、現時点ではわからない。
【００２６】
＜実験２：流動性＞
実施例および比較例の流動性について測定した。流動性は以下の方法に従い、安息角を測定することで判断した。
【００２７】
本実施形態においては、注入法を用いて安息角を測定した。ここで、注入法とは、測定物（粉末）を容器に入れて自然落下させ、水平面に堆積させた時に測定物の作る角度を測定する方法をいう。
【００２８】
本実施形態においては、下方に向かって開口が縮小するように垂直に対して３０°の角度で傾斜し、底部が２ｃｍ四方で開口している容器を、底部から水平面までの高さが１５ｃｍとなるようにセットする。そして、アクリル板で開口部を塞いだ後、サンプル５０ｇを計量し、容器に入れる。そして、アクリル板を水平に引き抜き、水平面に堆積したサンプルから安息角を算出した。
【００２９】
上記測定を３回行ったところ、実施例の安息角は２９°以上であった。一方、比較例は容器から落下せず、測定不能であった。これらの結果から、全脂粉乳をエタノールで処理することで、流動性を著しく改善させることができ、流動性を高められることがわかった。
【図１】
2017158460.tif 000003
【図２】
2017158460.tif 000004
(57)【要約】【課題】スマートフォン用ケースのカバー部分に折り目を付け、そこに磁石を内蔵し折り込むことで簡単にスタンド部分とハンドグリップ部分が突起する。未使用時は、この突起は簡単に元のケース形状に戻り固定されるカバー付きスマートフォン用ケースを提供する。【解決手段】カバーの折り込み部分に磁石を内蔵させ、折り目を折ると折った形状のまま磁石で固定され、スマートフォンを保持するスタンドとなったりスマートフォンを持ちやすくするハンドグリップとなる。カバーの折り目を伸ばすと、カバーは元の形状に戻りケースに固定されるカバー付きスマートフォン用ケース。【選択図】図１
2017158165.tif 000002
【特許請求の範囲】
【請求項１】
本発明は、折り込み部分に磁石を内蔵させたカバー付きスマートフォン用ケースに関する。ケースカバーには５つの折り目が施してある。この折り目部分には、磁石が埋め込まれている。ケースカバーの５つの折り目を折ると折った形状のまま磁石で固定される。固定された突起部分はスマートフォンを立てて保持するための、２つの角度で利用できるスタンドとなる。また、固定された突起部分は、２つの角度で利用できるハンドグリップとなり手で持つことによりスマートフォンを安定して使うことが可能となる。使用後は、ケースカバーの５つの折り目を伸ばすと、カバーは元のケース形状に戻り、そのままケースに固定されることを特徴とするカバー付きスマートフォン用ケース。
【発明の詳細な説明】
【技術分野】
【０００１】磁石内蔵部分を折り込むことにより、スタンド機能とハンドグリップ機能を持つカバー付きスマートフォン用ケースに関する。
【背景技術】
【０００２】従来、スマートフォン用ケースはスマートフォン本体を保護することが目的であった。
【発明の概要】
【発明が解決しようとする課題】
【０００３】本発明の課題は、スマートフォン用ケースのカバー部分に５つの折り目をつけ、その部分に磁石を内蔵して折り込むことで、使用時に簡単にスタンド部分とハンドグリップ部分が突起し、未使用時は簡単にケース形状に戻るカバー付きスマートフォン用ケースを提供することである。
【課題を解決するための手段】
【０００４】本発明は、折り込み部分に磁石を内蔵させたカバー付きスマートフォン用ケースに関する。ケースカバーには５つの折り目が施してある。この折り目部分には磁石が埋め込まれている。ケースカバーの５つの折り目を折ると、折った形状のまま磁石で固定される。固定された突起部分はスマートフォンを立てて保持するための、２つの角度で利用できるスタンドとなる。また、固定された突起部分は、２つの角度で利用できるハンドグリップとなり、これを手で持つことでスマートフォンを安定して使うことが可能となる。使用後は、ケースカバーの５つの折り目を伸ばすと、カバーは元のケース形状に戻り、そのままケースに固定される。
【発明の効果】
【０００５】スマートフォン用ケースのカバー部分に、５つの折り目をつけ、その部分に磁石を内蔵して折り込むことにより、使用時に簡単にスタンド部分とハンドグリップ部分が突起し、未使用時は５つの折り目を伸ばせば簡単に元のケース形状に戻るカバー付きスマートフォン用ケースを提供できる。
【図面の簡単な説明】
【０００６】
【図１】カバー付きスマートフォン用ケース
【発明を実施するための形態】
【０００７】本発明について図を用いて説明する。１は、カバー付きスマートフォン用ケースを上から見た全体図である。２は、折りたたんだり伸ばしたりするカバーである。３，４，５，６，７は、カバーに施された５つの折り目である。カバー２の８，９部分には磁石が埋め込まれている。カバー２の１４部分には、薄い鉄板が埋め込まれている。３，４，５，６，７の５つの折り目を折ると、突起部分がうまれこれがスマートフォンを保持するスタンドやハンドグリップとなる。１０のように折り目７を谷折りすると１２のような角度となる。１２は本ケースを側面から見た図である。１１のように折り目７を山折すると１３のような角度となる。１３は本ケースを側面から見た図である。この突起部分は、８，９に埋め込まれた磁石により固定される。更に、３，４，５，６，７の５つの折り目を伸ばすと１のカバー付きスマートフォン用ケース全体図のように元のケース形状に戻り、ケースに固定される。
【図１】
2017158165.tif 000003
(57)【要約】【課題】スマートフォン用カバーであって、スマートフォンに被せた際にスマートフォンを密閉し、その状態でスマートフォンの機能を維持できるスマートフォン用防水カバーを提供する。【解決手段】スマートフォン用カバーであって、伸縮性が高く肉厚が薄い素材でできていて、スマートフォンに被せるとスマートフォンを密閉することを特徴とする。【選択図】図１
2017158164.tif 000002
【特許請求の範囲】
【請求項１】
本発明は、スマートフォン用カバーであって、伸縮性が高く肉厚が薄い天然ゴムやポリウレタン素材でできていて、スマートフォンに被せるとスマートフォンに密着し、スマートフォンを密閉することを特徴とするスマートフォン用防水カバー。
【請求項２】
請求項１のスマートフォン用防水カバーにおいて、本カバーをスマートフォンに被せた状態で、スマートフォンの液晶画面上のアプリやスマートフォン本体のスイッチを操作できことと、カメラレンズが使えることを特徴とするスマートフォン用防水カバー。
【発明の詳細な説明】
【技術分野】
【０００１】本発明は、伸縮性が高く肉厚が薄いスマートフォン用防水カバーに関する。
【背景技術】
【０００２】従来、ケースでスマートフォンを包み、その後何らかの手段でケースを閉じスマートフォンに防水性を持たせるスマートフォン用防水ケースがあった。
【発明の概要】
【発明が解決しようとする課題】
【０００３】本発明の課題は、伸縮性が高く肉厚が薄い素材を利用して、スマートフォンに被せた際、スマートフォンに密着してスマートフォンを密閉できるスマートフォン用防水ケースを提供することである。
【課題を解決するための手段】
【０００４】本発明は、スマートフォン用カバーであって、伸縮性が高く肉厚が薄い天然ゴムやポリウレタン素材でできていて、スマートフォンに被せた際にスマートフォンに密着しスマートフォンを密閉することと、その状態でもスマートフォンの液晶画面のアプリやスマートフォン本体のスイッチを操作できるスマートフォン用防水カバー。
【発明の効果】
【０００５】本発明によれば、伸縮性が高く肉厚が薄い素材を利用して、スマートフォンに被せた際、スマートフォンに密着してスマートフォンを密閉するスマートフォン用防水カバーを提供できる。
【図面の簡単な説明】
【０００６】
【図１】本発明のスマートフォン用防水カバーの表面・裏面と本製品をスマートフォンに被せた状態を示す。
【発明を実施するための形態】
本発明について図で説明する。１は、本製品表面であり、２は本製品裏面である。３は、スリットであり斜線部分は本製品を表す。４は、スマートフォン液晶画面であり、５と６はスマートフォンのスイッチとカメラレンズである。１，２の状態で３のスリットに指を入れ、本製品を伸ばしスマートフォンに被せる。本製品は伸縮力によりスマートフォンに密着してスマートフォンを密閉する。
【図１】
2017158164.tif 000003
(57)【要約】      （修正有）【課題】卵や小麦等の食材を攪拌して泡立てる際、少量の食材でも効率の良い泡立てが出来る泡立て器を提供する。【解決手段】グリップ本体１の先端部５から複数本の単線材２が各放射状に伸びかつ周方向に均一配置された撹拌部と、この撹拌部に配置された単線材２の各先端に泡立て用リング３を設けた泡立て部１２とを設けた。また泡立て部１２の単線材２を１段、２段と各段に単線材２の長さを調整し複数本の単線材２の各先端に泡立て用リングを設けた。【選択図】図１
2017158991.tif 000002
【特許請求の範囲】
【請求項１】
グリップ本体の先端部から複数本の単線材が各放射状に伸びかつ周方向に均一配置された泡立て部の、前記単線材の各先端部に泡立て用リングを設けた泡立て部を特徴とする泡立て器。
【請求項２】
前記泡立て部の前記線材を１段、２段と各線材各段の長さを調整した複数本の単線材、該単線材の各先端部に泡立て用リングを設けた泡立て部を特徴とする泡立て器。
【請求項３】
前記泡立て部の前記線材を１段、２段、３段と各線材各段の長さを調整した複数本の単線材、該単線材の各先端部に泡立て用リングを設けた泡立て部を特徴とする泡立て器。
【発明の詳細な説明】
【技術分野】
【０００１】  本発明は、卵や小麦等の食材を撹拌し好適な泡立てをする、泡立て器に関するものである。
【背景技術】
【０００２】  従来の泡立て器は、グリップ先端部から複数本の線材が各放射状にかつ周方向に均一配置され、ナス型に成型された泡立て部の中空部に泡立て促進用に線材を螺旋状に巻き回しボール状の転動部を設けた（特許文献１）、
前記均一配置された線材の先端は円弧に加工され、円弧の先端には直径０．２ｃｍのステンレス製の頭部が取り付けてある（特許文献２）、
所定の弾性を具備して先部で折り返した複数本の泡立て線材を隣接線材と交差することなく円形状に配置し適宜な把手に装着すると共に、先部方を外周方向に開拡し、各線材を横断する箇所に配置して線材をスライド自在に貫通した開拡制御板を付設してない、更に泡立て線材の折り返し先部を、コの字状に折曲すると共に先端部全周を中心方向に窄めて（特許文献３）、
長手方向に沿って二分割されていて各半部がお互いに枢着された柄と、中間部をリング状に曲げることにより先端部となし且つ両端部を揃え基端部となして該各半部の先端部に固着した針金から成る泡立て部とから構成され、前記先端部においてリング状部分を複数個形成した（特許文献４）、
【先行技術文献】
【０００３】
【特許文献１】  特開２０１０−１９４１１２号公報
【特許文献２】  特開２００８−３０７２４２号公報
【特許文献３】  特開２００５−０１３２４９号公報
【特許文献４】  実開平  ０５−０８８４５７号公報
【発明の概要】
【発明が解決しようとする課題】
【０００４】  従来の泡立て器は、次のような欠点があった。
泡立て器泡立て部の線材がナス状に成型されナス状に成型された泡立て器は少量の食材に対しては、泡立て部を斜めにしかつ泡立て部の側を使用するか、食材を入れた容器を泡立てしやすい位置に変える必要があった、面倒である、
前記泡立て部は拡大、縮小、線材の角度、長さの調節が出来ず、泡立て部のナス型は固定され効率の好い泡立てすることが出来ないという欠点があった。
本発明は以上の問題点を解決するために発明されたものである。
【課題を解決する手段】
【０００５】  本発明に係る泡立て器は、グリップ本体の先端部に取り付けられて伸びる複数本の単線材が各放射状にかつ周方向に均一配置されたステンレス単線材、前記単線材の各先端部に泡立て用リングを設けた泡立て部を特徴とする。
【０００６】  前記泡立て部の前記単線材を１段、２段と各単線材を各段に単線材の長さを調整し複数本の各線材の各先端部に泡立て用リングを設けた泡立て部を特徴とする。
【０００７】  前記泡立て部の前記単線材を１段、２段、３段と各単線材を各段に単線材の長さを調整し複数本の各単線材の各先端部に泡立て用リングを設けた泡立て部を特徴とする。
【０００８】  前記泡立て部の前記単線材が各放射状に延びた単線材の各放射角度を任意に変えることが出来ることを特徴とする。
【発明の効果】
【０００９】  本発明の泡立て器を使用することにより卵や小麦粉等の食材を撹拌し効率よく泡立てすることが出来る、
本発明の泡立て器の泡立て用リングはリングの中空部を食材と空気が通過することにより混合効率がよい撹拌ができ細かい泡立てが可能である、
前記泡立て器の線材を長さと角度の調整により少量の食材でも効率よく撹拌し泡立てすることが可能である。
【図面の簡単な説明】
【００１０】
【図１】本発明の泡立て器の斜視図
【図２】本発明の泡立て用二段リング泡立て器の斜視図
【図３】本発明の泡立て用三段リング泡立て器の斜視図
【発明の実施するための形態】
【００１１】以下、本発明の実施の形態を説明する、
図１は、本発明の泡立て器１１、泡立て器１１はグリップ本体１の先端部５から複数本の各ステンレス単線材２、前記ステンレス単線材２の直径は１．６ｍｍ−２．６ｍｍが好ましく、泡立て部１２の単線材２は５本―１２本を用途に応じて本数を設定８本が好ましい、直径１．６ｍｍの単線材２を各放射状に伸びかつ周方向に均一に配置された複数本の各ステンレス線材２の各先端部に泡立て用リング３を設けた、リングは０．４ｃｍ―１．５ｃｍの内径が必要、０．８ｃｍ内径の泡立て用リングが好ましく泡立て部１２を設けた泡立て器１１。
【００１２】前記泡立て部１２の単線材の長さを図３のように各単線材を任意に１段２、２段２ａ、３段２ｂと単線材の長さを調整する、前記単線材を調整した各段の間隔の差、１段２−２段２ａは０．５ｃｍ―１．５ｃｍ、２段２ａ―３段２ｂは０．５ｃｍ―１．５ｃｍと各段０．５ｃｍ―１．５ｃｍの差が必要で、各泡立て用リングは、リング３．リング３ａ、リング３ｂと各リング間の差は０．５ｃｍ―１．５ｃｍと泡立て部に必要な間隔となる、前記泡立て用リングは前記ステンレス単線材の先端部に設ける、前記泡立て用リング間の差は０．７ｃｍが好ましく泡立て部１４を設けた泡立て器３１。
【００１３】前記泡立て部１２の前記単線材の長さを図２のようにステンレス単線材の長さを任意に１段２−２段２ａと間隔を０．５ｃｍ−１．５ｃｍと調整し差を付けることにより各泡立て用リング、リング３、リング３ａと各リング間の差は０．５ｃｍ―１．５ｃｍと泡立て部に必要な間隔となる、前記泡立て用リングは前記ステンレス線材の先端部に設け、また前記泡立て用リング間の差は０．７ｃｍが好ましく泡立て部１３を設けた泡立て器２１。
【００１４】前記泡立て部のステンレス単線材は各放射状に伸びかつ周方向に均一配置されたステンレス単線材は放射角度を任意に変えることが出来る泡立て器、
本発明は以上の構成によりなる。
【符号の説明】
【００１５】１    グリップ本体
２    単線材
２ａ  単線材
２ｂ  単線材
３    泡立て用リング
３ａ  泡立て用リング
３ｂ  泡立て用リング
４    中空部
５    先端部
１１  泡立て器
１２  泡立て部
１３  ２段泡立て部
１４  ３段泡立て部
２１  ２段泡立て器
３１  ３段泡立て器
【図１】
2017158991.tif 000003
【図２】
2017158991.tif 000004
【図３】
2017158991.tif 000005
(57)【要約】【課題】  一般的な魚釣り用のコマセ容器の横断面は円形状である、海釣り等で潮流が速い場合はコマセ容器の潮流抵抗が大で仕掛け全体が大きく流されて仕掛けを魚のいるタナに同調しにくい、また船釣りで他の釣人との仕掛け絡み（オマツリ）が多発し釣果が上がらず不愉快な事が多い。【解決手段】  従来の円形状コマセ容器を楕円形状の容器にして潮流抵抗を半減させた、また水中での潮流対向位置を常に安定する様に、容器軸芯（１１）を容器中心（１０）より適宜ズラした為潮流抵抗が少ない方向で安定し、タナとりし易く、また他の釣人との仕掛け絡みも激減し快適な釣りが出来た。【選択図】図１
2017158540.tif 000002
【特許請求の範囲】
【請求項１】
一般的な魚釣り用の、諸コマセ容器（ビシ）の外形々状を楕円形状にしたことを特徴とする、楕円形コマセ容器。
【請求項２】
コマセ容器軸芯（１１）が容器中心（１０）と適宜離れた位置に配した構造を特徴とする、請求項１記載の楕円形コマセ容器。
【発明の詳細な説明】
【技術分野】
【０００１】  本発明は、一般的な魚釣り、特に海釣り用具の仕掛けの一つコマセ容器（ビシ）に関する。
【背景技術】
【０００２】  従来、海での釣り用仕掛けに用いるコマセ容器はプラスチック材や金属材で製作された大・小外形々状の横断面が円形の容器が一般的に用いられている。
【発明の概要】
【発明が解決しようとする課題】
【０００３】  従来の一般的なコマセ容器は、上述の大小外形々状の横断面が円形容器で釣り時の潮流（水流）に対する抵抗が大きく特に潮流が速い時等はコマセ容器仕掛けが流されて、思う魚のいるタナ（水深位置）に仕掛けを同調させにくい。【０００４】  また、釣り船等で釣人が大勢の場合等、仕掛けが潮流に流され釣人同士の仕掛けが絡む（オマツリ）不具合が多発し釣果は上がらず不愉快な釣りになることが多く問題である。【０００５】  本発明は、上記問題を解決する為にコマセ容器の潮流に対する抵抗を半減しタナとり容易で又釣人同士の仕掛け絡みを少なくすることを目的とするものである。
【課題を解決するための手段】
【０００６】  本発明は、上記課題を解決するために、一般的な諸コマセ容器の外形々状を楕円形状にすることにより潮流に対向する抵抗面積を少なくし仕掛けの流され量を少なくなるようにしたものである、他形状として近三角形状も良い。【００７】  また、容器の楕円形状の容器中心より容器軸芯をズラス（離す）事により水中での容器方向は常に安定して潮流抵抗が半減する方向となり前述の問題解決となった。
【発明の効果】
【０００８】  上述したように本発明のコマセ容器は外形々状を楕円形状にした為、潮流に対向する面積が円形物より約半減し、潮流に流される割合が大幅に激減した。【０００９】  また、容器軸芯を容器中心より移動（ズラス）した構造にした為、常に潮流に対して抵抗の少ない方向で安定し、仕掛けの流される量が少なく、魚のいるタナに同調しやすく、また釣人同士の仕掛け絡みが激減し、快適な釣りを楽しむ効果を発揮する事が出来た。
【図面の簡単な説明】
【００１０】
【図１】  楕円形コマセ容器側面図（縦方向縮小）。
【図２】  図１のＡ−Ａ線断面図。
【発明を実施する為の形態】
【００１１】  本発明の実施の形態について図面を参照して説明する。
【００１２】  図１は、多種あるコマセ容器を代表して、楕円形コマセ容器１はプラスチック製機種を例にした基本的な構造を示した外観側面図である。
【００１３】  図２は、図１のＡ−Ａ断面図で、楕円形コマセ容器の楕円形状を明確図示した。
【００１４】  図に於いて、楕円形コマセ容器１の側面にコマセ投入用の開閉自在の窓蓋５を窓蓋取付ヒンジ部６で取り付けし、容器中心１０より適宜離れた位置（コマセ容器の種類により異なる）に容器軸芯１１を配し、上部は仕掛取付部２・楕円形外容器４・楕円形中子８・オモリ取付部９全体の軸芯とした構造である。
【００１５】  また、下部のコマセ排出窓７の調整用軸の楕円形中子支持軸９は上部の下部コマセ排出窓調整部３と連結している。
【００１６】  また、下部の楕円形中子支持軸９は上下自在の楕円形中子８の支持と共に下端はオモリ取り付け部となっている、オモリはコマセ容器の種類により異なるが楕円形中子８部等に一体化しても良い。
【符号の説明】
【００１７】    １・・・楕円形コマセ容器。
３・・・下部コマセ排出窓調整部・（楕円形中子支持軸）。
４・・・楕円形外容器。
７・・・コマセ排出窓。
８・・・楕円形中子。
９・・・楕円形中子支持軸。
１０・・容器中心。
１１・・容器軸芯。
【図１】
2017158540.tif 000003
【図２】
2017158540.tif 000004
(57)【要約】      （修正有）【課題】高い場所の枝を切断するために、パイプの先端に取り付けた、鋸と枝を挟む押え棒によって、持ち手を握りスライド握り手を引くだけで、高い場所の枝を切断出来る高枝切る鋸を提供する。【解決手段】パイプ３の先端に取り付けられた鋸歯１と枝を挟む為に取り付けた押え棒２をパイプの先端部に取り付けたステー１０に付け、その支点６にはバネ１３を設け、常に鋸歯よりバネの反発力で押え棒が開く様にし、ステーとスライド握り手４の間は、ワイヤー１１で接続され、その間には押え部スプリング９を入れることで必要以上に枝を押えこまない為の物である。引き部ストッパー７は、スライド握り手を止めるためのストッパーで、開き部ストッパー８は、押え棒が開き過ぎるのを止めるためのストッパーで、ガイド１２はワイヤーが波打つのを抑える物である。【選択図】図１
2017158529.tif 000002
【特許請求の範囲】
【請求項１】
パイプの先端に鋸歯を取り付け、枝を挟む押え棒をスライド握り手を動かすことで鋸歯と枝を挟み、スライド握り手を更に引くだけで枝を切断することが出来ることを特徴とする高枝切る鋸である。
【発明の詳細な説明】
【技術分野】
【０００１】本発明は、高い場所の枝を切断するために、パイプの先端に取り付けた鋸と枝を挟む押え棒に依って、持ち手とスライド握り手を握り鋸を引くだけで高い場所の枝を切断出来る高枝切る鋸に関するものである。
【背景技術】
【０００２】高枝切り鋸は、パイプの先端に鋸を取り付け、枝に治具を引っ掛けたり、鋸と鎌を先端に取り付け、枝を挟んで切ったり、鋸歯が向かい合わせになり、その中へ枝を入れて切断する鋸がある。
【先行技術文献】
【特許文献】
【０００３】
【特許文献１】特開  ２０１２−０３９９４２
【特許文献２】特開  ２０１１−０８７５０６
【特許文献３】特開  ２０００−２３６７４８特許文献  １においては、枝を挟んで鋸で切る方法であるが、枝を挟まなければならず、高い場所に有る枝を挟むのは技術が必要であり、鎌の刃が枝との摩擦で切りにくいのではないか。
特許文献  ２においては、特許文献１同様に枝を挟む作業が必要で有り、鋸を引く場合に鋸で枝を押す力が必要である。バネの常時弾発付勢する力だけでは、枝を挟む力が弱い様に思う。
特許文献  ３においては、枝にフックを掛ける様にパイプ支えを使用し、枝を固定することは大変良い方法と思うが、治具を取り付けることで先端部分が重くなるのと、ロープで鋸歯を動かすのは大変疲れると思う。
【発明の概要】
【発明が解決しようとする課題】
【０００４】特許文献の開示で見られるように、鋸歯を向かい合わせに取り付けた物や、枝を押えて切る方法や、枝を挟んで切る方法が開示されているが、枝を鋸で押し付けなければならない、これは作業上とても疲れる。鋸は切る物に対して押して引かなければ切れない、高い場所に有る枝に押す力を持続するのは大変な労力を必要とする。本発明は、枝を鋸歯で押しつける力は必要とせず、鋸を引くだけで高い場所の枝を切ることが出来る鋸を提供する。
【課題を解決するための手段】
【０００５】本発明は、パイプ（３）の先端に取り付けられた鋸歯（１）と、枝を挟む為に取り付けた押え棒（２）を、パイプ（３）の先端部のステー（１０）に付け、その支点（６）にはバネ（１３）を設け、常に鋸歯（１）より押え棒（２）がバネ（１３）の反発力で開く様にする。ステー（１０）と、スライド握り手（４）の、間はワイヤー（１１）で接続され、その間には押え部スプリング（９）を入れることで、必要以上に枝を押え込まない為のものである。引き部ストッパー（７）は、スライド握り手（４）を止めるためのストッパーである。開き部ストッパー（８）は、押え棒が開き過ぎるのを止めるためのストッパーで、ガイド（１２）は、ワイヤー（１１）が、波打つのを防ぐものである。
【発明の効果】
【０００６】本発明は、パイプの先端に取り付けた鋸歯と、枝を挟む為の押え棒をパイプの先端部に付けたステーに取り付け、持ち手を持ちスライド握り手を引く事で、ワイヤーと接続された押え棒が枝を挟み、鋸を引く力が鋸を枝に押しつける力になるので引く力だけで切ることが出来る鋸である。
【図面の簡単な説明】
【０００７】
【図１】本発明の側面図である。
【図２】本発明の先端部拡大正面図である。
【図３】本発明の先端部拡大側面図である。
【図４】本発明のスライド握り手部拡大側面図である。
【図５】本発明のスライド握り手部拡大正面図である。
【発明の実施をするための形態】
【０００８】以下、本発明の実施の形態について説明する。
イ、パイプの先端に取り付けた鋸歯（１）とパイプ（３）の先端部に取りけたステー（１０）に鋸歯と枝を挟むための押え棒（２）を取り付ける。
ロ、ステー（１０）とスライド握り手（４）はワイヤー（１１）と押え部スプリング（９）で接続されている。
ハ、ステー（１０）の支点にバネ（６）を設け、常に鋸歯（１）と押え棒（２）が開く状態とする。
ニ、スライド握り手（４）を引いた時に、枝を挟むことが出来る。
ホ、持ち手を握り、スライド握り手（４）を持ちながら枝を入れ、スライド握り手（４）を引くと押え棒（２）と鋸歯（１）で枝を挟む。
ヘ、更に、スライド握り手（４）を引く事で枝を切り始める。
ト、スライド握り手（４）を前に出すと、押え棒（２）は枝と離れるので鋸を前に送り出す事が出来る。
チ、ヘ、トの繰り返しで、引くだけで枝に鋸歯を押しあてないで、切ることが出来る鋸である。
【符号の説明】
【０００９】  １  鋸歯
２  押え棒
３  パイプ
４  スライド握り手
５  持ち手
６  支点
７  引き部ストッパー
８  開き部ストッパー
９  押え部スプリング
１０  ステー
１１  ワイヤー
１２  ガイド
１３  バネ
【図１】
2017158529.tif 000003
【図２】
2017158529.tif 000004
【図３】
2017158529.tif 000005
【図４】
2017158529.tif 000006
【図５】
2017158529.tif 000007
(57)【要約】      （修正有）【課題】メガネを収納するときレンズを保護するためメガネケースを通常必要とする。メガネの形態からしてケースはかさ張り、ポケットに収まりが悪い。それを解消するためメガネツルをレンズ保護に利用したメガネを提供する。【解決手段】細目のレンズ２をつかい、そのレンズを覆う幅広の左右ツル３にツルガイド６を上下に付ける。上下のツルガイドを保持するためのツルホルダー５をフレーム１の上下左右に施し、ツルガイドをツルホルダーに挿入できる構造とし、メガネ使用時は両ツルをフレームの左右両端に、レンズ保護時は両ツルをフレームの中央寄りにし、ツルとツルとのジョイントを回転し折り曲げレンズを保護する。【選択図】図２
2017032961.tif 000002
【特許請求の範囲】
【請求項１】
フレーム（１）上を左右メガネツル（３）の接続点が移動できるようにし、かつ、左右ツル（３）自体を折り曲げられる構造とし、左右ツル（３）で左右のレンズ（２）の裏表をカバーするメガネ。
【発明の詳細な説明】
【技術分野】
【０００１】本発明は携帯時に、ツルによってレンズを保護する構造ですのでメガネケースを不要とするものである。
【背景技術】
【０００２】従来のメガネはレンズを保護するためメガネケースを必要とするが、本発明はケースを必要としないものである
【先行技術文献】
【０００３】
【特許文献１】
【非特許文献１】
【発明の概要】
【発明が解決しようとする課題】
【０００４】これは次のような欠点があった。
（イ）  メガネケースはかさ張る。
（ロ）  メガネ使用時メガネをケースから取り出さなくてはならない。
本発明はその欠点を解消するためなされたものである。
【課題を解決するための手段】
【０００５】レンズを覆う幅広のツル（３）にツルガイド（突起部）（６）を付ける。ツルガイドを保持するためのツルホルダー（５）をフレーム（１）の上下左右に。ツルガイドをツルホルダーに挿入できる構造とし、メガネ使用時は両ツルをフレームの左右両端に、レンズ保護時は両ツルをフレームの中央寄りに。両ツルを折りレンズを保護する。
本発明は以上の構成からなるものである。
【発明の効果】
【０００６】（イ）  ポケットに収まりが良い。
（ロ）  ケースから取り出さなくてよい。
【図面の簡単な説明】
【０００７】
【図１】斜視図
【図２】分離図
【図３】フレーム断面図
【発明を実施するための形態】
【０００８】以下、本発明を実施するための最良の形態について説明する。
細目のレンズ（２）をつかい、そのレンズを覆う幅広の左右ツル（３）にツルガイド（  突起部）（６）を上下に付ける。上下のツルガイドを保持するためのツルホルダー（５  ）をフレーム（１）の上下左右に施し、ツルガイドをツルホルダーに挿入できる構造と  し、メガネ使用時は両ツルをフレームの左右両端に、レンズ保護時は両ツルをフレーム  の中央寄りにし、ツルとツルとのジョイントを回転し折り曲げレンズを保護する。
本発明は、以上のような構造である。
メガネを使用するときは、左右ツルをフレームの両端に移動させ、レンズの表側を覆っ  ているツルを引き起こすように伸ばし、ツルのジョイント部を回転させ耳にかける。
【符号の説明】
【０００９】１・メガネフレーム        ２・レンズ          ３・ツル
４・ジョイント            ５・ツルホルダー    ６・ツルガイド
【図１】
2017032961.tif 000003
【図２】
2017032961.tif 000004
【図３】
2017032961.tif 000005